(57)【要約】  【課題】開閉体の巻き径の大幅な増大を防止できる開閉装置を提供する。  【解決手段】開閉装置１は、外周面が略円筒面状の回転可能な巻取ドラム４を備える。巻取ドラム４には、巻取ドラム４の回転に応じて開口部２に沿って移動してこの開口部２を開閉するスクリーン体７を設ける。スクリーン体７には、間隔をおいて上下方向に並んで位置するように長手状の複数の弾性補強薄板11を左右方向に沿って設ける。スクリーン体７を巻取ドラム４で巻き取ると、弾性補強薄板11が巻取ドラム４の外周面に沿って弾性変形する。  【選択図】図１
2005126983.tif 000002
【特許請求の範囲】
【請求項１】
外周面が略円筒面状の回転可能な巻体と、
この巻体の外周面側に巻戻し自在に巻き取られ、前記巻体の回転に応じて開口部に沿って移動してこの開口部を開閉する開閉体と、
この開閉体にこの開閉体の移動方向と交差する方向に沿って設けられ、互いに間隔をおいて前記開閉体の移動方向に並んで位置する長手状の複数の補強薄板とを備え、
前記開閉体が前記巻体の外周面側に巻き取られる際には、前記補強薄板が前記巻体の外周面に沿って変形する
ことを特徴とする開閉装置。
【請求項２】
開閉体をその側端部が挿入された状態で案内する案内体と、
補強薄板の長手方向端部に設けられ、前記案内体との係合により前記開閉体の側端部の前記案内体内からの抜出しを防止する抜止め体とを備え、
前記開閉体が前記巻体の外周面側に巻き取られる際には、先行の抜止め体が後続の抜止め体によって押されることにより、その先行の抜止め体が設けられた補強薄板の長手方向端部が巻体の回転中心軸線側に向って変形する
ことを特徴とする請求項１記載の開閉装置。
【請求項３】
補強薄板は、変形する前の状態で断面略湾曲状である
ことを特徴とする請求項１または２記載の開閉装置。
【請求項４】
抜止め体は、断面略Ｌ字状である
ことを特徴とする請求項１ないし３のいずれか一記載の開閉装置。
【請求項５】
補強薄板は、弾性変形可能な弾性補強薄板である
ことを特徴とする請求項１ないし４のいずれか一記載の開閉装置。
【発明の詳細な説明】
【技術分野】
【０００１】
本発明は、開閉体の巻き径の大幅な増大を防止できる開閉装置に関するものである。
【背景技術】
【０００２】
従来、例えば外周面が略円筒面状の回転可能な巻体と、巻体の外周面側に巻戻し自在に巻き取られ巻体の回転に応じて開口部に沿って移動してこの開口部を開閉する開閉体と、開閉体にこの開閉体の移動方向と交差する方向に沿って設けられ互いに間隔をおいて開閉体の移動方向に並んで位置する長手状の複数の補強材とを備えた耐火スクリーン装置等の開閉装置が知られている（例えば、特許文献１参照）。
【特許文献１】特開平１０−１６５５３２号公報
【発明の開示】
【発明が解決しようとする課題】
【０００３】
しかしながら、上記従来の開閉装置では、巻体による巻取り時における開閉体の巻き径が大幅に増大してしまうおそれがある。
【０００４】
本発明は、このような点に鑑みなされたもので、開閉体の巻き径の大幅な増大を防止できる開閉装置を提供することを目的とする。
【課題を解決するための手段】
【０００５】
請求項１記載の開閉装置は、外周面が略円筒面状の回転可能な巻体と、この巻体の外周面側に巻戻し自在に巻き取られ、前記巻体の回転に応じて開口部に沿って移動してこの開口部を開閉する開閉体と、この開閉体にこの開閉体の移動方向と交差する方向に沿って設けられ、互いに間隔をおいて前記開閉体の移動方向に並んで位置する長手状の複数の補強薄板とを備え、前記開閉体が前記巻体の外周面側に巻き取られる際には、前記補強薄板が前記巻体の外周面に沿って変形するものである。
【０００６】
そして、補強薄板が巻体の外周面に沿って変形するため、開閉体の巻き径の大幅な増大が防止される。
【０００７】
請求項２記載の開閉装置は、請求項１記載の開閉装置において、開閉体をその側端部が挿入された状態で案内する案内体と、補強薄板の長手方向端部に設けられ、前記案内体との係合により前記開閉体の側端部の前記案内体内からの抜出しを防止する抜止め体とを備え、前記開閉体が前記巻体の外周面側に巻き取られる際には、先行の抜止め体が後続の抜止め体によって押されることにより、その先行の抜止め体が設けられた補強薄板の長手方向端部が巻体の回転中心軸線側に向って変形するものである。
【０００８】
そして、先行の抜止め体が後続の抜止め体によって押されることにより、その先行の抜止め体が設けられた補強薄板の長手方向端部が巻体の回転中心軸線側に向って変形するため、開閉体の巻き径の大幅な増大がより効果的に防止される。
【０００９】
請求項３記載の開閉装置は、請求項１または２記載の開閉装置において、補強薄板は、変形する前の状態で断面略湾曲状であるものである。
【００１０】
そして、補強薄板が変形する前の状態で断面略湾曲状であるから、補強薄板が平板状のものである場合に比べて、開口部の閉鎖時における補強薄板の変形が抑制される。
【００１１】
請求項４記載の開閉装置は、請求項１ないし３のいずれか一記載の開閉装置において、抜止め体は、断面略Ｌ字状であるものである。
【００１２】
そして、断面略Ｌ字状の抜止め体と案内体との係合により開閉体の側端部の抜出しが適切に防止される。
【００１３】
請求項５記載の開閉装置は、請求項１ないし４のいずれか一記載の開閉装置において、補強薄板は、弾性変形可能な弾性補強薄板であるものである。
【００１４】
そして、補強薄板が弾性変形可能な弾性補強薄板であるから、弾性補強薄板は弾性復元力によって元の形状に復帰する。
【発明の効果】
【００１５】
請求項１記載の開閉装置によれば、補強薄板が巻体の外周面に沿って変形するため、開閉体の巻き径の大幅な増大を防止できる。
【００１６】
請求項２記載の開閉装置によれば、先行の抜止め体が後続の抜止め体によって押されることにより、その先行の抜止め体が設けられた補強薄板の長手方向端部が巻体の回転中心軸線側に向って変形するため、開閉体の巻き径の大幅な増大をより効果的に防止できる。
【００１７】
請求項３記載の開閉装置によれば、補強薄板が変形する前の状態で断面略湾曲状であるから、補強薄板が平板状のものである場合に比べて、開口部の閉鎖時における補強薄板の変形を抑制できる。
【００１８】
請求項４記載の開閉装置によれば、断面略Ｌ字状の抜止め体と案内体との係合により開閉体の側端部の抜出しを適切に防止できる。
【００１９】
請求項５記載の開閉装置によれば、補強薄板が弾性変形可能な弾性補強薄板であるから、弾性補強薄板を弾性復元力により元の形状に適切に復帰させることができる。
【発明を実施するための最良の形態】
【００２０】
本発明の開閉装置の一実施の形態を図面を参照して説明する。
【００２１】
図１ないし図４において、１は開閉装置で、この開閉装置１は、例えば火災が発生した際に開口部（例えばエレベータ前の空間部）２を閉鎖して延焼を防止する耐火スクリーン装置である。
【００２２】
開閉装置１は、互いに離間対向して位置する上下方向長手状の左右一対の案内体（ガイドレール）３を備えている。
【００２３】
そして、両案内体３の上端部間には、左右方向長手状で略箱状の収容ケース体（図示せず）が配設されている。収容ケース体内には、ばね（図示せず）を内蔵し左右方向長手状で略円筒状をなす巻体である巻取ドラム４が左右方向の回転中心軸線Ｘを中心として回転可能に配設されている。巻取ドラム４は、その外周面が略円筒面状のもので、この巻取ドラム４の軸方向両端面からは支軸５が突出している。
【００２４】
また、開閉装置１は、開口部２の開口時に巻取ドラム４の外周面側に巻戻し自在に巻き取られ、挿入部６を左右の両側端部に有し、巻取ドラム４の回転に応じて開口部２に沿って昇降してこの開口部２を開閉する昇降可能な略矩形状の可撓性の開閉体であるスクリーン体７を備えている。
【００２５】
スクリーン体７は、例えばガラスクロス、シリカクロス等からなる不燃性の布地にて構成されたもので、このスクリーン体７の上端部が巻取ドラム４の外周面に取り付けられ、スクリーン体７の左右の両側端部が案内体３内に挿入される挿入部６となっている。
【００２６】
また、スクリーン体７には、弾性変形可能な長手状の複数の弾性補強薄板（補強薄板）11がスクリーン体７の移動方向と直交（交差）する方向に沿って設けられ、これら複数の弾性補強薄板11は、開口部２の閉鎖時には互いに間隔をおいてスクリーン体７の移動方向、例えば上下方向に並んでスクリーン体７の略全体に分散して位置する。すなわち、スクリーン体７に複数形成された袋状部7a内に弾性補強薄板11がそれぞれ挿通されている。
【００２７】
各弾性補強薄板11は、例えばコンベックス（スケール）に用いられる弾性変形可能な鋼製薄板にて構成されたもので、弾性変形する前の状態で側面視断面略湾曲状のものである。弾性補強薄板11の厚さはスクリーン体７の厚さと略同じである。また、各弾性補強薄板11の長さ寸法はスクリーン体７の左右方向の長さ寸法（幅寸法）より長く、各弾性補強薄板11の長手方向両端部がスクリーン体７の左右方向両端部から側方に突出した突出端部12となっており、各突出端部12は開口部２の閉鎖時には案内体３内に位置する。
【００２８】
そして、弾性補強薄板11の各突出端部12には、案内体３との係合によりスクリーン体７の側端部である挿入部６の案内体３内からの抜出しを防止する平面視断面略Ｌ字状の抜止め体14が設けられている。各抜止め体14は、弾性補強薄板11の突出端部12に取り付けられた取付板部15を有し、この取付板部15の端部には係合板部16が直交状に一体に突設されている。
【００２９】
さらに、スクリーン体７の下端部には、開口部２の閉鎖時に床面等の被当接部に当接する左右方向長手状の当接部である重錘体（座板）17が設けられている。重錘体17は、例えば不燃性の金属材料にて構成されたもので、この重錘体17の長手方向両端部が案内体３内に挿入される挿入端部18となっている。
【００３０】
一方、スクリーン体７をその側端部である挿入部６が挿入された状態で開口部２に沿って案内する各案内体３は、開口部２の閉鎖時にスクリーン体７の撓みに基づいて抜止め体14の係合板部16と係脱自在に係合して挿入部６の案内体３内からの抜出しを防止する上下方向長手状の係合受け部21を有している。
【００３１】
係合受け部21は、断面コ字状の案内本体部22の開口部２側の一端部内面から突出した断面Ｌ字状の突部23にて構成されている。この突部23は、案内本体部22の開口部２側の他端部内面から突出した断面Ｌ字状の突部24と所定の挿通間隙25を介して対向した状態に配設されている（図２参照）。
【００３２】
次に、上記開閉装置１の作用等について説明する。
【００３３】
例えば火災が発生すると、スクリーン体７が巻取ドラム４から巻き戻されながら重錘体17および弾性補強薄板11等の重量によりスムーズに自重下降し、重錘体17が床面等の被当接部に当接し、開口部２が閉鎖される。
【００３４】
この開口部２の閉鎖時において、例えば熱風による風圧がスクリーン体７に作用すると、スクリーン体７は、その幅方向中央側ほど一方側に膨出するように弾性補強薄板11とともに撓む。なお、風圧が比較的弱い場合、弾性補強薄板11の突っ張りによりスクリーン体７の撓みは抑制される。
【００３５】
そして、スクリーン体７が弾性補強薄板11と一体となって風圧で撓むと、スクリーン体７の挿入部６が開口部２側に向って移動し、抜止め体14が案内体３の係合受け部21と係合し、この係合により挿入部６の案内体３内からの抜出しが防止され、これにより開口部２の閉鎖状態が保たれる。
【００３６】
また一方、開口部２を開口させる場合は、スクリーン体７を重錘体17および弾性補強薄板11等とともに上昇させ、スクリーン体７および弾性補強薄板11を巻取ドラム４に巻き取らせる。
【００３７】
このとき、巻取ドラム４に内蔵されたばねがスクリーン体７を巻取り方向に付勢するため、操作者はスクリーン体７を容易に上昇させることができる。
【００３８】
そして、スクリーン体７が上昇により巻取ドラム４の外周面側に巻き取られる際には、図３に示すように、弾性補強薄板11が巻取ドラム４の外周面に沿って略円弧状に弾性変形する。すなわち例えば弾性補強薄板11は、巻取ドラム４の回転中心軸線Ｘを中心とする略円弧状に弾性変形する。なお、弾性補強薄板11の弾性変形後の曲率半径は、弾性変形前の曲率半径より小さい値である。
【００３９】
また、スクリーン体７が上昇により巻取ドラム４の外周面側に巻き取られる際には、図４に示すように、先行の抜止め体（先行して巻取ドラム４に巻き取られていた抜止め体）14が後続の抜止め体（これから巻取ドラム４に巻き取られる抜止め体）14によって押されることにより、その先行の抜止め体14が設けられた弾性補強薄板11の長手方向端部である突出端部12が巻取ドラム４の回転中心軸線Ｘ側（支軸５側）に向って折れるように弾性変形するとともに、互いに対向した先行の抜止め体14同士が重なり合う。この重なり合った抜止め体14は、巻取ドラム４の軸方向両端面の側方の収納領域内に位置する。
【００４０】
なお、巻取ドラム４によるスクリーン体７の巻取り時には所望の弾性補強薄板11は略円弧状かつ折れるように弾性変形するが、巻取り解除つまり巻戻し時にはその弾性補強薄板11は弾性復元力によって元の形状に復帰する。
【００４１】
このように開閉装置１によれば、弾性補強薄板11でスクリーン体７を適切に補強できかつ抜止め体14でスクリーン体７の挿入部６の抜出しを防止できるばかりでなく、巻取ドラム４による巻取り時におけるスクリーン体７の巻き径の大幅な増大を防止でき、例えば収容ケース体の外形を小さくでき、開閉装置１のコンパクト化を図ることができる。
【００４２】
また、弾性補強薄板11が弾性変形する前の状態で断面略湾曲状のものであるから、弾性補強薄板11が平板状のものである場合に比べて、開口部２の閉鎖時における弾性補強薄板11の変形を抑制でき、風圧等の加圧によるスクリーン体７の撓みを抑制できる。
【００４３】
なお、開閉装置１は、弾性補強薄板11をスクリーン体７の袋状部7a内に挿通したものには限定されず、例えば弾性補強薄板11をスクリーン体７に貼り付けたものや部分的に止着したもの等でもよい。
【００４４】
また、スクリーン体７の袋状部7aは、細長い袋状部形成用布を用いて形成したものでもよく、分割スクリーンをその端部を重ねるようにして形成したもの等でもよい。
【００４５】
さらに、弾性補強薄板11は、スクリーン体７より薄くてもよく、巻き径が大幅に増大しない程度であればスクリーン体７よりも厚くしてもよく、また弾性補強薄板11の数や位置等も任意である。
【００４６】
さらに、抜止め体14は、断面略Ｌ字状のものには限定されず、断面略Ｔ字状のものや、弾性補強薄板11の突出端部12を連結するワイヤ、ベルト等の開閉方向長手状のもの等でもよい。
【００４７】
また、開閉装置１は、手動式には限定されず、モータ等の駆動手段でスクリーン体７を昇降させる電動式等でもよい。
【００４８】
さらに、スクリーン体７を補強する補強薄板は、弾性補強薄板11には限定されず、スクリーン体７の自重等によって引っ張られて元の形状に復帰するような薄板等でもよい。
【００４９】
また、開閉装置１は、耐火スクリーン装置として説明したが、他のシャッタ装置やロールスクリーン装置等であってもよく、防火防煙性能の有無も問わない。
【図面の簡単な説明】
【００５０】
【図１】本発明の開閉装置の一実施の形態を示す一部省略した斜視図である。
【図２】同上開閉装置の平面視部分断面図である。
【図３】同上開閉装置の側面視部分断面図である。
【図４】同上開閉装置の弾性補強薄板が巻体の軸芯側に向って弾性変形した状態を示す説明図である。
【符号の説明】
【００５１】
１    開閉装置
２    開口部
３    案内体
４    巻体である巻取ドラム
７    開閉体であるスクリーン体
11    補強薄板である弾性補強薄板
14    抜止め体
Ｘ    回転中心軸線
【図１】
2005126983.tif 000003
【図２】
2005126983.tif 000004
【図３】
2005126983.tif 000005
【図４】
2005126983.tif 000006